(57)【要約】【課題】気軽に石を飾ることができる装飾材を提供する。【解決手段】装飾材１１は、板状の石１３と、石１３の裏面に固定された補強板１４と、補強板１４における石１３側とは反対側の面に設けられ、壁面に取り付け可能な一対の取付金具１５と、を備える。【選択図】図２
0003221308.tif 000002
【実用新案登録請求の範囲】
【請求項１】
板状の石と、
前記石の裏面に固定された補強板と、
前記補強板における前記石側とは反対側の面に設けられ、壁面に取り付け可能な取付部と、
を備えることを特徴とする装飾材。
【請求項２】
前記補強板の大きさは、前記石の大きさ以下であることを特徴とする請求項１に記載の装飾材。
【請求項３】
前記石の端縁を覆う枠を備えることを特徴とする請求項１または請求項２に記載の装飾材。
【考案の詳細な説明】
【技術分野】
【０００１】
本考案は、例えば天然石などの石を用いた装飾材に関する。
【背景技術】
【０００２】
一般に、天然石などには、人工で表現できない美しさ、神秘さ、面白さなどがある。このため、天然石を用いた装飾材としては、従来、天然石に台座を設けて置物としたものが知られている。
【考案の概要】
【考案が解決しようとする課題】
【０００３】
ところで、上述のような装飾材では、大きいものになると置き場所の確保が困難であるため、気軽に飾ることができないという問題がある。
本考案の目的は、気軽に石を飾ることができる装飾材を提供することにある。
【課題を解決するための手段】
【０００４】
以下、上記課題を解決するための手段及びその作用効果について記載する。
上記課題を解決するための装飾材は、板状の石と、前記石の裏面に固定された補強板と、前記補強板における前記石側とは反対側の面に設けられ、壁面に取り付け可能な取付部と、を備えることを要旨とする。
【０００５】
この構成によれば、壁面に対して絵画のように気軽に石を飾ることができる。
上記装飾材において、補強板の大きさは、石の大きさ以下であることが好ましい。
この構成によれば、石の表面側から補強板が見えないようにすることができる。
【０００６】
上記装飾材は、前記石の端縁を覆う枠を備えることが好ましい。
この構成によれば、装飾材の意匠性の自由度の向上に寄与できる。
【考案の効果】
【０００７】
本考案によれば、気軽に石を飾ることができる。
【図面の簡単な説明】
【０００８】
【図１】一実施形態の装飾材が壁面に飾られたときの状態を示す斜視図。
【図２】図１の装飾材を背面側から見たときの斜視図。
【図３】変更例の装飾材を示す正面図。
【図４】別の変更例の装飾材を示す正面図。
【図５】図４の装飾材の背面図。
【図６】図５の６−６線矢視断面図。
【考案を実施するための形態】
【０００９】
以下、装飾材の一実施形態について図面に従って説明する。
図１及び図２に示すように、装飾材１１は、矩形板状をなしており、壁面１２に取り付けることによって飾られる。装飾材１１は、矩形板状の石１３と、石１３の裏面に接着剤などによって固定された矩形状の補強板１４と、補強板１４における石１３側とは反対側の面に設けられて壁面１２に取り付け可能な取付部の一例としての一対の取付金具１５と、を備えている。
【００１０】
石１３は、大理石などの天然石、人造石、あるいは天然石及び人造石を混在させたものなどによって構成することができる。石１３の厚さは、重量や強度などを考慮すると、例えば３〜６ｍｍ程度に設定することが好ましい。石１３の大きさは、例えば、Ａ１サイズ、Ａ３サイズ、Ｂ４サイズなど既存の紙の規定サイズなどに合わせることが好ましい。石１３の表面は、つるつるに磨いた光沢面にしてもよいし、多少の凹凸が残る粗面にしてもよい。
【００１１】
補強板１４は、例えば金属、合成樹脂、木材などによって構成することができるが、軽くて丈夫なアルミニウムによって構成することが好ましい。補強板１４の厚さは、固定する石１３の厚さよりも薄く設定されている。補強板１４は、アルミニウムで構成した場合、厚さを例えば１ｍｍ程度に設定することが好ましい。補強板１４の大きさは、固定する石１３の大きさよりも一回り小さくなるように設定されている。この場合、補強板１４の大きさは、壁面１２に飾られた装飾材１１を見たときに、石１３に全体が隠れて見えない範囲で最も大きく設定することが好ましい。
【００１２】
取付金具１５は、略帯状の板金部材によって構成されている。取付金具１５は、中央部の位置と両端部の位置とが厚さ方向において若干ずれるように曲げられている。取付金具１５の両端部には、壁面１２に設けられたフック（図示略）などに引っ掛けるための孔１６がそれぞれ形成されている。そして、孔１６を２つずつ有した一対の取付金具１５は、４つの孔１６を直線で結んだ場合に長方形が描かれるように配置された状態で補強板１４の中央部に固定されている。この場合、一対の取付金具１５は、中央部が補強板１４に接触した状態で例えばスポット溶接などによって固定され、両端部が補強板１４から若干離れている。
【００１３】
次に、装飾材１１を壁面１２に飾る場合の作用について説明する。
装飾材１１を壁面１２に飾る場合には、まず、壁面１２における装飾材１１を飾りたい位置に、装飾材１１の一対の取付金具１５の４つの孔１６と対応するように、複数（本例では４つ）のフック（図示略）を取り付ける。その後、壁面１２に取り付けた複数（本例では４つ）のフック（図示略）に、装飾材１１の一対の取付金具１５の複数（本例では４つ）の孔１６をそれぞれ引っ掛けることによって壁面１２に装飾材１１が飾られる。なお、装飾材１１は、意匠面が石１３によって構成されているため、屋内だけでなく、風雨に晒される屋外にも飾ることができる。
【００１４】
このように、装飾材１１は、設置スペースなどを確保しなくても、絵画と同じように壁面１２に気軽に飾ることができる。したがって、石１３の美しさを気軽に楽しむことができる。
【００１５】
以上詳述した実施形態によれば、次のような効果が発揮される。
（１）装飾材１１は、板状の石１３と、石１３の裏面に固定された補強板１４と、補強板１４における石１３側とは反対側の面に設けられ、壁面１２に取り付け可能な一対の取付金具１５と、を備えている。この構成によれば、一対の取付金具１５を壁面１２に取り付けたフック（図示略）に引っ掛けるだけで、壁面１２に対して絵画のように気軽に石１３を飾ることができる。
【００１６】
（２）装飾材１１は、補強板１４の大きさが石１３の大きさ以下になっている。この構成によれば、壁面１２に装飾材１１を飾った際に、石１３の表面側から補強板１４が見えないようにすることができる。このため、装飾材１１の意匠性の向上に寄与できる。
【００１７】
（変更例）
なお、上記実施形態は次のように変更してもよい。
・図３に示すように、装飾材１１において、補強板１４の大きさを石１３の大きさよりも一回り大きくしてもよい。この場合、壁面１２に装飾材１１を飾った際に、補強板１４の表面の周縁部１７が石１３からはみ出すが、このはみ出した周縁部１７に塗料で着色したり装飾テープを貼り付けたりすることで、装飾材１１の意匠性の向上に寄与できる。
【００１８】
・装飾材１１において、補強板１４の大きさを石１３の大きさと同じにしてもよい。
・図４〜図６に示すように、装飾材１１は、石１３の端縁を覆う矩形状の枠１８（額縁）を備えていてもよい。この場合、石１３の大きさを補強板１４よりも小さくし、石１３の大きさを補うように石１３の周囲を矩形環状の紙１９（例えば、和紙など）で囲い、補強板１４の裏面に一対の取付金具１５が露出するように矩形環状の裏板２０が配置される。この構成によれば、装飾材１１の更なる意匠性の向上に寄与できる。なお、紙１９の代わりに、布、木材、樹脂フィルムなどを用いてもよい。
【００１９】
・一対の取付金具１５の代わりに、壁面１２に吸着可能な吸盤などを取付部として採用してもよい。
・石１３の表面は、立体的に突出するような凹凸があってもよい。
【００２０】
・石１３の形状は、四角形に限らず、三角形や六角形などの多角形、真円、楕円、星形、涙形などの任意の形状に変更してもよい。
・装飾材１１において、取付金具１５の数、形状、配置は、適宜変更してもよい。
【符号の説明】
【００２１】
１１…装飾材、１２…壁面、１３…石、１４…補強板、１５…取付部の一例としての取付金具、１８…枠。
【図１】
0003221308.tif 000003
【図２】
0003221308.tif 000004
【図３】
0003221308.tif 000005
【図４】
0003221308.tif 000006
【図５】
0003221308.tif 000007
【図６】
0003221308.tif 000008